(57)【特許請求の範囲】
【請求項１】
内燃機関のクランク軸と同期回転しつつ回転軸芯の周りで回転する駆動側回転体と、
前記回転軸芯の周りに前記内燃機関のカム軸と一体に回転し、前記駆動側回転体の内部において前記駆動側回転体と相対回転可能な従動側回転体と、
前記駆動側回転体と前記従動側回転体とにより形成される流体圧室と、
前記流体圧室内に配置され、前記流体圧室を流体の流入又は排出を許容する遅角室及び進角室に仕切り、前記駆動側回転体に対する前記従動側回転体の相対回転位相を流体の流入により前記遅角室内の容積が増大する遅角方向と流体の流入により前記進角室内の容積が増大する進角方向との間で選択的に移動させる仕切部と、を備え、
前記駆動側回転体が、前記クランク軸からの駆動力が駆動ベルトを介して入力されるプーリを備えたアルミニウム製のハウジング、及び、当該ハウジングのうち前記回転軸芯に沿った少なくとも一方の面に取り付けられたプレートを備え、
前記ハウジングと前記プレートとの間に、流体の流出が可能な隙間を設けてあり、
前記プーリがアルマイト処理されており、
前記ハウジングの当接面又は前記プレートの当接面のうち少なくとも何れか一方が所定の面粗度を有するアルマイト処理面であり、前記ハウジングの当接面及び前記プレートの当接面どうしが直に当接している弁開閉時期制御装置。
【請求項２】
前記仕切部が前記従動側回転体に設けられ、前記ハウジングが前記仕切部と摺接する摺接領域を内周面に備えた円筒状壁部を有すると共に、
前記プーリと前記円筒状壁部との間に、前記回転軸芯の方向に貫通し、前記回転軸芯に対する周方向に延出した溝部が形成され、
前記溝部と前記摺接領域とが前記回転軸芯の径方向に沿って重なり領域を持つように構成してある請求項１に記載の弁開閉時期制御装置。
【請求項３】
前記溝部における前記回転軸芯の径方向に沿った幅を、前記ハウジングの当接面における前記径方向に沿った幅以上に形成してある請求項２に記載の弁開閉時期制御装置。
【発明の詳細な説明】
【技術分野】
【０００１】
本発明は、内燃機関の点火時期を調節する弁開閉時期制御装置に関するものであって、特に、クランク軸からの駆動力を受けるプーリを有する駆動側回転体がアルミニウム材料で構成されたものに関する。
【背景技術】
【０００２】
このように、弁開閉時期制御装置の駆動側回転体をアルミニウム材料で構成したものとして例えば特許文献１がある。ここでは、アルミニウム材料を金型から押し出し、形状を整える１次加工を施したのち、外周面及び内周面全体にアルマイト処理を施して各表面の高硬度化を図っている。当該公知文献によれば、アルミ形金属材料を用いることで装置の軽量化が可能となる。また、駆動側回転体を押出し成形によって製造するため、駆動側回転体の内部から、その外方に形成されたプーリに対する作動油の滲出が防止され、ゴム製のベルトの劣化が防止できる（〔0017〕〔0193〕段落参照）。
【先行技術文献】
【特許文献】
【０００３】
【特許文献１】特開２０１０−２０３２３４号公報
【発明の概要】
【発明が解決しようとする課題】
【０００４】
特許文献１の技術では、アルマイト処理によって駆動側回転体の表面硬度は上昇するものの、例えばプーリ歯部の面粗度が悪化する。プーリ歯部の耐摩耗性を向上させるためにアルマイト処理の膜厚を増やそうとすると、面粗度はさらに悪化することとなる。その結果、プーリに巻き回されたベルトが損傷し易くなり、ベルトの寿命が短くなる。
【０００５】
また、プーリは、駆動側回転体の本体から径外方向に向けて全周に突出形成されている。このため、ベルトの張力によって生じるプーリの変形が駆動側回転体の本体に伝達され、本体が変形することがある。本体の内周面には、進角室と遅角室とを形成するために従動側回転体に設けられたベーンが摺動する。よって、本体の変形によってベーンの当接性が悪化し、進角室と遅角室とが連通して、弁開閉時期の制御が正確に行えないこととなる。
【０００６】
さらに、プーリと一体形成された本体と、フロントプレート及びリアプレートとがボルトを用いて締結されるが、両プレートと本体との当接面にボルトの締結力が作用し、本体が変形する場合がある。その結果、プーリが変形して歯部精度が悪化し、駆動ベルトの寿命がさらに短くなったり、駆動ベルトのノイズが発生する原因にもなる。
【０００７】
上記実情に鑑み、このような弁開閉時期制御装置としては、アルミニウム材料を用いながら位相制御の精度がよくベルト寿命の長い装置が求められている。
【課題を解決するための手段】
【０００８】
本発明に係る弁開閉時期制御装置の特徴構成は、
内燃機関のクランク軸と同期回転しつつ回転軸芯の周りで回転する駆動側回転体と、
前記回転軸芯の周りに前記内燃機関のカム軸と一体に回転し、前記駆動側回転体の内部において前記駆動側回転体と相対回転可能な従動側回転体と、
前記駆動側回転体と前記従動側回転体とにより形成される流体圧室と、
前記流体圧室内に配置され、前記流体圧室を流体の流入又は排出を許容する遅角室及び進角室に仕切り、前記駆動側回転体に対する前記従動側回転体の相対回転位相を流体の流入により前記遅角室内の容積が増大する遅角方向と流体の流入により前記進角室内の容積が増大する進角方向との間で選択的に移動させる仕切部と、
前記遅角室への流体の供給及び前記進角室からの流体の排出、又は前記遅角室からの流体の排出及び前記進角室への流体の供給を制御する位相制御部と、を備え、
前記駆動側回転体が、前記クランク軸からの駆動力が駆動ベルトを介して入力されるプーリを備えたアルミニウム製のハウジングと、当該ハウジングのうち前記回転軸芯に沿った少なくとも一方の面に取り付けられたプレートとを備え、
前記ハウジングと前記プレートとの間に、流体の流出が可能な隙間を設けた点にある。
【０００９】
駆動側回転体のプーリ及びハウジングをアルミニウム材料で形成する場合、素材そのものが比較的軟らかいため、駆動ベルトとの摩擦によってプーリに摩耗が生じ易い。
【００１０】
そこで、本構成では、アルミニウム製のハウジングとプレートとの間に、内部の流体が外部に流出できるような隙間を設けてある。これにより、駆動側回転体の回転に伴って当該隙間から流体が流出し、この流体が遠心力によって外方に流動する。流体は、ハウジングの外側にあるプーリ及び当該プーリに巻き回された駆動ベルトに達し、プーリと駆動ベルトの当接部を潤滑する。本構成であれば、プーリ及び駆動ベルトの損耗を低減し、信頼性の高い弁開閉時期制御装置を得ることができる。
【００１１】
本発明に係る弁開閉時期制御装置にあっては、前記プーリをアルマイト処理しておくと好都合である。
【００１２】
本構成の如く、プーリをアルマイト処理することで、プーリの表面強度を高めることができる。ただし、アルマイト処理は、プーリの表面強度を高める一方、アルマイト層の成長に伴ってプーリの表面形状が粗くなり、プーリに巻き掛けられる駆動ベルトに対する攻撃性を高めてしまう。しかしながら、前記隙間から供給する流体によって駆動ベルトとプーリとの摩耗が軽減されるため、弁開閉時期制御装置の信頼性が損なわれることはない。
【００１３】
本発明に係る弁開閉時期制御装置にあっては、前記ハウジング又は前記プレートの当接面のうち少なくとも何れか一方を所定の面粗度を有するアルマイト処理面とし、前記ハウジング及び前記プレートの当接面どうしが直に当接するように構成することができる。
【００１４】
本発明の弁開閉時期制御装置では、ハウジングとプレートとの当接部に設けた隙間から流体を流出させる。そのため本構成では、ハウジング又はプレートの少なくとも何れか一方をアルミニウム材料で形成し、互いの当接面のうち少なくとも何れか一方をアルマイト処理面とする。つまり、アルマイト処理を施すことで当接面の面粗度を増大させ、ハウジング及びプレートどうしを直に当接させることで前記隙間を形成する。しかも、アルマイト処理した当接面の強度が高まるため、駆動側回転体の変形が防止され、信頼性の高い弁開閉時期制御装置を得ることができる。
【００１５】
このようにハウジング及びプレートにアルマイト処理を施すことで、流体の流出が可能な駆動側回転体を効率的に形成することができる。特に、ハウジングの当接面をアルマイト処理する場合には、プーリと当該当接面とを同時にアルマイト処理することができ、隙間の作製効率を一層向上させることができる。また、ハウジングとプレートとを直に当接させるから、これらの間にシール部材などを設ける必要がなく、駆動側回転体の構成が簡略化される。
【００１６】
本発明に係る弁開閉時期制御装置においては、前記仕切部が前記従動側回転体に設けられ、前記ハウジングが前記仕切部と摺接する摺接領域を内周面に備えた円筒状壁部を有すると共に、前記プーリと前記円筒状壁部との間に、前記回転軸芯の方向に貫通し、前記回転軸芯に対する周方向に延出した溝部が形成され、前記溝部と前記摺接領域とが前記回転軸芯の径方向に沿って重なり領域を持つように構成することができる。
【００１７】
アルミニウム製のハウジングは鋼製のものに比べて軟らかく、クランクシャフトからの駆動力が駆動ベルトを介してプーリに入力される際に幾らか変形を生じる場合がある。その結果、例えば、ハウジングの円筒状壁部に歪みが生じ、当該円筒状壁部の内周面に摺接すべき仕切部と内周面との間に隙間が生じる。進角室と遅角室との間では流体の漏洩が生じ、弁開閉時期制御装置の位相制御が不正確なものとなる。
【００１８】
そこで、本構成の如く、プーリと円筒状壁部との間に溝部を設け、仕切部及びハウジングの摺接領域と溝部とが径方向で重なる領域を持つように構成することで、プーリが変形した場合でも、当該変形がハウジングの円筒状壁部に伝わるのを防止することができる。その結果、正確な位相制御を行える弁開閉時期制御装置を得ることができる。
【００１９】
本発明に係る弁開閉時期制御装置においては、前記溝部における前記回転軸芯の径方向に沿った幅を、前記ハウジングの当接面における前記径方向に沿った幅以上に形成することができる。
【００２０】
本構成のハウジングは、例えばアルミニウム材料の押出成形で作製される。よって、溝部の幅を本構成の程度とすることで、プーリの位置を円筒状壁部の外面から外方に位置させてプーリを所定の外径に形成し、かつ、アルミニウム材料の押し出し量を溝部の分だけ削減することができる。
【図面の簡単な説明】
【００２１】
【図１】本実施形態の弁開閉時期制御装置の側断面図である。
【図２】本実施形態の弁開閉時期制御装置の平断面図である。
【図３】本実施形態の駆動側回転体の分解斜視図である。
【発明を実施するための形態】
【００２２】
〔全体構成〕
以下に、本発明の実施形態を図面に基づいて説明する。
本発明に係る弁開閉時期制御装置の特徴構成を図１乃至図３に示す。図１は本装置の側断面図であり、図２は平断面図であり、図３は駆動側回転体の分解斜視図である。
【００２３】
弁開閉時期制御装置は、主に、内燃機関のクランク軸Ｚと同期回転しつつ回転軸芯Ｘの周りで回転する駆動側回転体Ａ（アウタロータ）と、駆動側回転体Ａの内部にあって回転軸芯Ｘの周りに内燃機関のカム軸Ｃと一体に回転する従動側回転体Ｂ（インナロータ）と、駆動側回転体Ａ及び従動側回転体Ｂの相対回転位相を調節する位相制御部とで構成される。
【００２４】
駆動側回転体Ａと従動側回転体Ｂとの間には流体圧室Ｒが形成される。外側の駆動側回転体Ａから内方に突出した第１凸部１が内側の従動側回転体Ｂの外周面Ｂ１に当接し、従動側回転体Ｂの外周面Ｂ１から突出した第２凸部２が駆動側回転体Ａの内周面Ｗ１に当接する。これら第１凸部１及び第２凸部２は、流体圧室Ｒの仕切部として機能し、流体圧室Ｒを進角室Ｒ１と遅角室Ｒ２とに仕切る。
【００２５】
進角油路３から進角室Ｒ１に作動流体を供給し、遅角室Ｒ２から遅角油路４を介して作動流体を排出することで、従動側回転体Ｂが図２において時計方向に相対回転する。この結果、内燃機関の弁開閉タイミングが早くなる。例えば、内燃機関の回転数を高めるときなどにこのような進角動作を行う。一方、遅角室Ｒ２に作動流体を供給し、進角室Ｒ１から作動流体を排出することで、従動側回転体Ｂは図２において反時計方向に相対回転する。この結果、内燃機関の弁開閉タイミングが遅くなる。これは例えば、内燃機関の回転数を下げるときに行い、アイドル回転による運転は最遅角位相で行われる。
【００２６】
〔ハウジング〕
本実施形態では、駆動側回転体ＡのハウジングＨをアルミニウム材料で構成する。駆動側回転体Ａは、主に、三つの部材で構成してある。外周部分にプーリＰを一体形成したハウジングＨと、このハウジングＨを両面から挟むフロントプレートＦＰと、リアプレートＲＰである。これらは、複数本の締結ボルト５を用いて一体に組み付けられる。ハウジングＨは、図３に示す如く、締結方向の断面形状がほぼ同じであり、例えば、アルミニウム材料の押出成形によって製造される。尚、この他の構成として、フロントプレートＦＰ或いはリアプレートＲＰをハウジングＨと一体成形することも可能である。その場合には、ダイキャスト工法等によって製造するとよい。
【００２７】
特に、ハウジングＨは、外周側に形成されたプーリＰと、その内周側にあって、従動側回転体Ｂを収容する円筒状壁部Ｗとを有する。円筒状壁部Ｗは、従動側回転体Ｂに形成された第２凸部２が摺接する内周面Ｗ１を有する。また、円筒状壁部Ｗは、従動側回転体Ｂの外周面Ｂ１に摺接する第１凸部１を複数有する。
【００２８】
図２に示す如く、円筒状壁部Ｗの外周側には、大部分が円筒状壁部Ｗから離間した状態にプーリＰが一体形成してある。円筒状壁部ＷとプーリＰとは、周方向に沿って分散配置した４カ所の第１凸部１と同位置に設けた接続部６で接続されている。
【００２９】
このように、円筒状壁部ＷとプーリＰとを組み合わせて一体形成する場合、両者を個別に構成して接続する場合に比べて、両者の調芯作業の手間が不要となる。また、両者を一体化する締結ボルト５が不要になるうえ、締結作業そのものも不要となり、重量軽減やコストダウンの効果が得られる。
【００３０】
〔ボルト締結〕
図２及び図３に示す如く、締結ボルト５を挿通するようハウジングＨに形成されたボルト孔７は、第１凸部１の中央位置に設けてある。こうすることで、フロントプレートＦＰやリアプレートＲＰとハウジングＨとの当接面積を広く確保し、締結ボルト５の締結力に際してハウジングＨに局部的な荷重が作用しない様にしてある。これにより、フロントプレートＦＰやリアプレートＲＰ、ハウジングＨが変形し難くなり、流体圧室Ｒの内部に保持されている作動流体が例えばフロントプレートＦＰとハウジングＨとの間から外部に不必要に漏れ出るのを防止することができる。
【００３１】
尚、フロントプレートＦＰ及びリアプレートＲＰもアルミニウム材料で構成することができる。そのような構成であれば、駆動側回転体Ａをより軽量化することができる。尚、特に、リアプレートＲＰをアルミニウム材料で構成する場合、締結ボルト５が係合する雌ネジ部８をやや長くし、締結力に対して雌ネジ部８が損傷するのを防止するとよい。
【００３２】
また、雌ネジ部８の位置は、図２に示すように、径方向に沿って第１凸部１と接続部６との中間位置である。より詳細には、やや第１凸部１の側に寄った位置である。この位置であれば、従動側回転体Ｂの第２凸部２が最進角位相及び最遅角位相に達して第１凸部１に当接する場合に、第１凸部１の曲り変形を防止することができる。因みに、図２の例においては、図中左上の第２凸部２のみが第１凸部１に当接するように構成してある。
【００３３】
〔アルマイト処理〕
駆動側回転体ＡのプーリＰ及びハウジングＨを比較的軟らかい材料であるアルミニウム材料で形成する場合、プーリＰは駆動ベルトＶとの摩擦によって摩耗が生じ易い。よって、駆動側回転体Ａに対しては、表面の硬度を高めるべく陽極酸化処理、所謂アルマイト処理を施す。特には、プーリＰの歯部と円筒状壁部Ｗの側面とが対象である。
【００３４】
ただし、アルマイト処理を施すと、処理部表面の面粗度が悪化する。そのため、駆動ベルトＶに対する摩擦係数が増大するなど攻撃性が高まり、逆に駆動ベルトＶの寿命低下を招くおそれがある。
【００３５】
〔隙間〕
そこで、本実施形態では、図２及び図３に示す如く、ハウジングＨとフロントプレートＦＰ及びリアプレートＲＰとの間から、駆動ベルトＶに対して潤滑用の作動流体を供給するようにしている。
【００３６】
具体的には、ハウジングＨとフロントプレートＦＰ及びリアプレートＲＰとの間に作動流体としてのオイルの流出が可能な隙間Ｇを設けておく。この隙間Ｇは、例えば、上記アルマイト処理により、ハウジングＨの表面であって、フロントプレートＦＰ或いはリアプレートＲＰに当接する当接面Ｗ２の面粗度を高めることによって形成する。
【００３７】
ハウジングＨの当接面Ｗ２と、フロントプレートＦＰの当接面ＦＰ１或いはリアプレートＲＰの当接面ＲＰ１とは、互いに直に当接させる。
【００３８】
これにより、駆動側回転体Ａの回転に伴って当該隙間から適量のオイルが流出し、遠心力によって外方に流動する。流動したオイルは、ハウジングＨの外側にあるプーリＰと当該プーリＰに巻き回された駆動ベルトＶとに達し、駆動ベルトＶを潤滑する。当然ながら、駆動ベルトＶはオイル潤滑に適した材質のものを使用する。
【００３９】
また、当接面Ｗ２をアルマイト処理することで、当接面Ｗ２の表面硬度が増す。よって、フロントプレートＦＰ及びリアプレートＲＰとの締結時に、締結ボルト５の締結力が過大であっても円筒状壁部Ｗが変形するのを防止することができる。
【００４０】
さらに、本構成であれば、円筒状壁部ＷとフロントプレートＦＰ或いはリアプレートＲＰとの間に特段のシール材を設ける必要がなく、駆動側回転体Ａの構成が簡略化される。
【００４１】
このように、本構成の駆動側回転体Ａであれば、駆動側回転体Ａの構造を簡略化しながら、プーリＰ及び駆動ベルトＶの損耗を低減し、信頼性の高い弁開閉時期制御装置を得ることができる。
【００４２】
尚、隙間Ｇを形成するために、フロントプレートＦＰ或いはリアプレートＲＰをアルミニウム材料で形成し、フロントプレートＦＰの当接面ＦＰ１、或いは、リアプレートＲＰの当接面ＲＰ１をアルマイト処理することで、これら当接面の面粗度を高めてもよい。
【００４３】
〔溝部〕
本実施形態の駆動側回転体Ａでは、プーリＰと円筒状壁部Ｗとの間に、回転軸芯Ｘの方向に貫通し、回転軸芯Ｘに対する周方向に延出する溝部９を形成してある。図２に示す例では、円筒状壁部ＷとプーリＰとを接続する接続部６ではない領域の全てに亘って溝部９が形成されている。
【００４４】
周方向における溝部９の端部は、第１凸部１の側面よりも第１凸部１の中央側に達している。つまり、溝部９によって挟まれた領域である夫々の接続部６の周方向に沿った長さが、夫々の接続部６に対応する第１凸部１の周方向に沿った長さよりも短く構成されている。これは、従動側回転体Ｂの第２凸部２が円筒状壁部Ｗの内周面Ｗ１に摺接する領域に対して、溝部９の領域を広く確保することで、駆動ベルトＶによって仮にプーリＰが変形した場合でも、当該変形が円筒状壁部Ｗに伝わる位置を第２凸部２の摺接領域から離間させるためである。
【００４５】
尚、溝部９の周方向長さは、第２凸部２の摺接領域の周方向長さよりも必ずしも長くする必要はない。溝部９と摺接領域とが回転軸芯Ｘの径方向に沿って重なる領域が僅かでも形成されれば、プーリＰの変形が円筒状壁部Ｗに伝わるのを防止する効果が得られる。
【００４６】
また、このような溝部９を形成することで、内燃機関の運転に際して駆動側回転体Ａが昇温した場合でも、当該熱がプーリＰに伝わり難くなる。よって、駆動ベルトＶの熱劣化を防止することができる。そもそも、溝部９を設けることで、アルミニウム材料の使用量が減り、駆動側回転体Ａの軽量化も実現できる。
【００４７】
一方、径方向に沿った溝部９の幅９ａについては種々のサイズに構成可能である。基本的には、溝部９を設け、円筒状壁部ＷとプーリＰとを径方向に離間させることで、プーリＰの変形は円筒状壁部Ｗに伝わり難くなる。ただし、溝部９の幅９ａを、ハウジングＨの当接面Ｗ２の幅Ｗ３以上に形成すると好都合である。
【００４８】
本構成のハウジングＨは、アルミニウム材料の押出成形で作製される。よって、溝部９の幅９ａを当接面Ｗ２の幅Ｗ３以上とすることで、プーリＰの位置を円筒状壁部Ｗの外面から径外方に位置させてプーリＰを所定の外径に形成し、かつ、アルミニウム材料の押し出し量を溝部９の分だけ削減することができる。このとき、溝部９の幅９ａが極端に狭いと、押出成形型を作製する際に溝部９に該当する部位が細くなり過ぎ、型成形が困難となるうえ、型寿命が低下する。しかし、溝部９の幅９ａを当接面Ｗ２の幅Ｗ３以上に構成することで、押出成形型の各部の寸法が妥当なものとなり、作製が容易で耐久性ある押出成形型を得ることができる。溝部９の幅９ａが適切であれば、アルミニウム材料の押出成形時の押出抵抗が低下し、製造効率が向上する。
【００４９】
さらに、溝部９の幅９ａを当接面Ｗ２の幅Ｗ３以上とすることで、例えば、フロントプレートＦＰを円筒状壁部Ｗにボルト締結する際に、円筒状壁部Ｗに加わる締結力が接続部６を超えてプーリＰに伝わるのを防止することができる。よって、プーリＰの形状が真円に保持され、回転ブレが生じず、駆動ベルトＶが損傷するのを防止することができる。
【００５０】
〔別実施形態〕
ハウジングＨに限らず、フロントプレートＦＰ及びリアプレートＲＰもアルミニウム材料で構成することができる。
【００５１】
本構成であれば、駆動側回転体Ａの重量が大幅に軽減される。ただし、リアプレートＲＰのうち締結ボルト５を固定する雌ネジ部８は、十分な締め付けトルクに耐え得るよう締結ボルト５の長手方向に沿って必要な長さに構成しておく。
【００５２】
円筒状壁部ＷとフロントプレートＦＰ或いはリアプレートＲＰとの間に設ける隙間として、円筒状壁部ＷやフロントプレートＦＰ、或いは、リアプレートＲＰに対して径方向に延出する凹部を構成してもよい。当該凹部は例えば切削加工や型成形あるいは打刻によって形成する。これらの加工によるものであれば、オイルの流出位置や流出量を任意に設定することができ、より正確な潤滑作用を奏することができる。
【産業上の利用可能性】
【００５３】
本発明は、各種の弁開閉時期制御装置であって、作動流体の供給・排出によって位相制御を行うものに広く利用することができる。
【符号の説明】
【００５４】
１      第１凸部（仕切部）
２      第２凸部（仕切部）
９      溝部
Ａ      駆動側回転体
Ｂ      従動側回転体
Ｃ      カム軸
ＦＰ    フロントプレート
ＦＰ１  フロントプレートの当接面
ＲＰ    リアプレート
ＲＰ１  リアプレートの当接面
Ｈ      ハウジング
Ｐ      プーリ
Ｒ      流体圧室
Ｒ１    進角室
Ｒ２    遅角室
Ｖ      駆動ベルト
Ｗ      円筒状壁部
Ｗ１    内周面
Ｗ２    ハウジングの当接面
Ｘ      回転軸芯
Ｚ      クランク軸
【図１】
0006524819.tif 000002
【図２】
0006524819.tif 000003
【図３】
0006524819.tif 000004